(57)【特許請求の範囲】
【請求項１】
道糸の先端に第一のサルカンを介して支持柱を連結し、該支持柱より下方へ三方向に弾
力性を持つ金属製の支持線を３本延設し、各支持線に蛍光パイプを挿通して固定するとと
もに、前記支持柱の下端には第二のサルカンを介して錘を連結し、前記第一のサルカンに
３本の幹糸を連結し、該３本の幹糸をそれぞれ前記３本の支持線に沿わせて前記蛍光パイ
プに挿通し、各幹糸の先端にハリスと釣針を結んだことを特徴とする道糸へ魚の食い付き
を直接に伝える直接あたり仕掛け。
【請求項２】
道糸の先端に第一のサルカンを介して幹糸を連結し、該幹糸に蛍光パイプを挿通して固
定するとともに、幹糸の下端には第二のサルカンを連結し、前記第一のサルカンに段階的
な長さを有する複数のハリスを連結し、各ハリスを前記幹糸に沿わせて前記蛍光パイプに
挿通し、各ハリスを前記幹糸の一側方へ段階的に延出させ、前記複数のハリスのうち最長
のハリスを前記第二のサルカンの先端環状部に通して、各ハリスの先端に釣針を結んだこ
とを特徴とする道糸へ魚の食い付きを直接に伝える直接あたり仕掛け。
【発明の詳細な説明】
【技術分野】
【０００１】
この発明は、魚の食い付きの感度を道糸に直接伝える為の方法を纏めた魚釣り仕掛けに
関するものである。
【背景技術】
【０００２】
従来の魚釣り仕掛けでは、魚が食い付いたときのあたり感度が魚の活性度あるいは動作
が小さい場合は、殆ど手元に伝わらず食い逃がしする事が多かった。ハリスの長さ分遊動
範囲が発生する為に道糸への張力が無い場合は魚の食い付きあたりが感じ取れない状況で
あった。
【発明の開示】
【発明が解決しようとする課題】
【０００３】
道糸と天秤のアーム先端の間で張力がない場合、釣り竿先に魚の食いあたりを感じとる
ことが出来なかった。
【０００４】
又、魚の食いあたりに於いて、従来の魚釣り仕掛けは天秤からハリスまでの遊動範囲が
広すぎる。その遊動範囲とは、「天秤の横に張り出したアーム先端を中心にハリス長を半
径とする円状の海面に対し垂直面３６０度の振れ範囲」、「天秤の軸を中心にアーム長を半
径とする円状の海面に対し水平面３６０度の振れ範囲」（図２）である。この遊動範囲によ
り、道糸からの張力が無い場合は魚の食いあたりが道糸に伝わる事が無かった点である。
【課題を解決するための手段】
【０００５】
魚の食いあたりを道糸に直接伝える為に、道糸とハリスの中間に複数箇所に釣針を設置
する分の幹糸を設けることにより、道糸から針先までの遊動範囲（図２）での魚の食いあ
たりを確実に道糸に伝えることが出来る。複数箇所の針位置を確保する為に、道糸とハリ
スの間に専用の支持具を取り付ければ可能となる。実現方法は２通りを有する。
【０００６】
実現法１（図３）は、支持柱を設けそれより複数方向に弾力性をもつ金属線による支持
線を伸ばし幹糸を添わせハリスと釣針を結ぶものである。支持線と幹糸は蛍光パイプに通
し支持柱の上下にはサルカンを繋ぎ、上端は道糸に下端は錘に結合する。複数の支持線に
より岩場での根掛り等による仕掛け紛失が激減する為、環境汚染の軽減に役立ち環境保護
上有効である。
【０００７】
実現法２（図４）は、幹糸を一本とし幹糸に観点を複数箇所（三箇所が使用経験上適当
と思われる）設定する為に幹糸の先端部と終端部にサルカンを設け、ハリスを観点分結び
付ける。ハリスは段階的な長さにし幹糸に添わせ、魚の食い付き時遊動範囲の発生を防ぐ
為に幹糸とハリスを蛍光パイプに通し釣針を結ぶものである。潮流の速い釣り場に適する。
【発明の効果】
【０００８】
道糸に直接魚の食いあたりが伝わる為、魚の食い離れ防止と、観点の拡張性、魚の食い
付き範囲の拡張性が得られる。
【発明を実施するための最良の形態】
【０００９】
複数箇所の観点を確保する為の支持具を道糸とハリスの中間に取り付けるもので、支持
具は二つの実現方法を有する。                                                    
【００１０】
実現法１：
支持柱を設け上下にはフック付きサルカンを繋ぎ、上端のサルカンは道糸に繋ぎ、下端の
サルカンは錘に繋ぐ。支持柱には支持線となる弾力性のある金属線を固定し延長する。支
持線にビーズ、蛍光パイプ、ビーズ、極細パイプの順に通し支持線の先端をダイヤ状に形
成し極細パイプにて止める。幹糸を支持柱の上端のフック付きサルカンに結び、支持線に
通し済みのビーズ、蛍光パイプ、ビーズ、極細パイプに通しハリス止め用の金具を繋いだ
後、ハリス、釣針を結ぶ。この組上げを支持線分行う。                              
【００１１】
実現法２：
幹糸（１本）の上端部にサルカンを結び、そのサルカンにハリスを観点分結び付ける。ハ
リスは段階的な長さにし、観点分のハリスと幹糸に、蛍光パイプ、ビーズを通す。次に、
二段目のハリスと幹糸に、蛍光パイプ、ビーズを通す。順次三段目のハリスと幹糸に、蛍
光パイプ、ビーズを通した後、幹糸の終端部にサルカンを結び三段目のハリスを終端部サ
ルカンの先端環状部に通す。最後に各ハリスに釣針を結ぶ。上端部のサルカンには、実現
法１の支持具または従来の遊動天秤を繋ぐ。                                        
【実施例１】
【００１２】
図３の様に、支持柱２と支持線３，４，５からなる支持具の上端と下端にフック付きサ
ルカン６を繋ぐ。上端部フック付きサルカン６には道糸１を繋ぎ、下端部フック付きサル
カン６には錘１５を繋ぐ。各支持線は弾力性のあるステンレス線０．７〜０．９ｍｍを使
用する。材質上支持線を一つに纏め寄せる事が出来るので、容易に収納が出来る。支持線
３，４，５は観点の拡張範囲に応じて線長を選択決定し作成する。支持線３，４，５には
ビーズ７、蛍光パイプ８、ビーズ７、極細パイプ（約１ｃｍ）１０の順に通し支持線の先
端をダイヤ状９に形成し極細パイプ１０にて止める。支持具上部のフック付きサルカン６
に幹糸１１を結び、ビーズ７、蛍光パイプ８、ビーズ７、極細パイプ１０に通し、新たに
極細パイプを通しダイヤ状９部に通す。その後ハリス止め、又はサルカン１２と結びそれ
にハリス１３、釣針１４を結ぶ。上記の構成により、複数方向支持の直結あたり仕掛けが
実現出来る。                                                                    
【実施例２】
【００１３】
図４の様に、幹糸（１本）１１を観点の拡張範囲分の長さに決定する。幹糸の上端部に
サルカン１２を結び、そのサルカンにハリス１３を観点分結び付ける。ハリスは段階的な
長さとし、観点分のハリス１３と幹糸１１に、蛍光パイプ８、ビーズ７の順に通し、次に、
二段目のハリス１３と幹糸１１に、蛍光パイプ８、ビーズ７を通す。順次三段目のハリス
１３と幹糸１１に、蛍光パイプ８、ビーズ７を通す。各段階間の間隔は幹糸長の均等割り
とする。幹糸１１の終端部にサルカン１２を結び三段目のハリス１３を終端部サルカン１
２の先端環状部に通す。最後に各ハリス１３に釣針１４を結び付ける。上端部のサルカン
１２には、実施例１の当該発明支持具または従来の遊動天秤を繋ぐ。上記の構成により、
複数箇所支持の直結あたり仕掛けが実現出来る。                                    
【産業上の利用可能性】
【００１４】
この発明により、魚の食いあたりを直接手元に感じ取る仕掛けが提供でき、釣り愛好者
の方々に利便性と携帯性を提供できる事はもとより、根掛りがしずらい為仕掛けを無くす
ことが激減し、環境汚染の軽減に役立つ。初心者の方々にも使用簡単な釣りを楽しんで貰
える。
【図面の簡単な説明】
【００１５】
【図１】従来の天秤の正面図
【図２】従来の天秤の遊動範囲図
【図３】この発明における実施１の図
【図４】この発明における実施２の図
【図５】この発明における実施２の斜視図
【符号の説明】
【００１６】
１：  道糸
２：  支持柱
３：  支持線
４：  支持線
５：  支持線
６：  フック付きサルカン
７：  ビーズ
８：  蛍光パイプ
９：  ダイヤ状の形成部
１０：  極細蛍光パイプ
１１：  幹糸
１２：  サルカン
１３：  ハリス
１４：  釣針
１５：  錘
１６：  ハリス結合部
１７：  サルカンの先端環状部へ通す
１８：  実施１の支持具、又は従来の遊動天秤
【図１】
0003714673.tif 000002
【図２】
0003714673.tif 000003
【図４】
0003714673.tif 000004
【図５】
0003714673.tif 000005
【図３】
0003714673.tif 000006